(57)【特許請求の範囲】
【請求項１】
しゃ断器本体の開閉操作ハンドルと、過電流引外し部に連繋してケース内に組み込んだトグルリンク機構を組立フレームに組み付けた開閉機構部と、主回路接点を開閉操作するとともに、前記組立フレームに該組立フレームと直交する方向に揺動可能に軸支した揺動式の開閉レバーと、開閉機構部の組立フレームに沿ってスライド可能に支持され、引外し動作時に駆動ばねのばね力でフレームに沿ってスライド動作する警報出力板を備え、前記開閉機構部を前記ケース内に該組立フレームがケースの長手方向と直交するように配置するとともに、前記ケースの長手方向と平行な外側面に外装付属装置として主回路接点のＯＮ／ＯＦＦ状態を電気信号で検出する補助スイッチ，ないしは引外し動作を電気信号で検出する警報スイッチを装着するようにした回路しゃ断器において、
前記開閉レバーの軸部両端に開閉動作の機械的な出力信号を前記ケースの外側面に装着した補助スイッチに伝達する軸継手部を形成するととにも、前記警報出力板の左右両端には前記軸継手部と位置をずらして引外し動作の機械的な出力信号を前記ケースの外側面に装着した警報スイッチに伝達するレバー係合段部を形成したことを特徴とする回路しゃ断器。
【請求項２】
請求項１記載の回路しゃ断器において、補助スイッチ，警報スイッチが、ユニットケース，接点機構を共通部品として、これにしゃ断器本体側の開閉レバーの軸継手部に連結する補助スイッチ仕様の動作レバー，もしくは警報出力板のレバー係合段部に係合する警報スイッチ仕様の動作レバーを組付けた構成になることを特徴とする回路しゃ断器。
【発明の詳細な説明】
【０００１】
【発明の属する技術分野】
本発明は、低圧配電設備の過電流保護を目的とした配線用しゃ断器，電動機の制御用開閉器などを対象に、外装付属装置（オプション品）として主回路接点のＯＮ／ＯＦＦ状態，引外し動作を電気的信号で検出する補助スイッチ，警報スイッチを装備した回路しゃ断器に関する。
【０００２】
【従来の技術】
まず、配線用しゃ断器を例に、そのしゃ断器本体の構成，および外装付属装置（オプション品）としてしゃ断器本体のケース側面に補助スイッチ，警報スイッチを装着した従来製品の構造を図５(a) 〜(c) に示す。図において、１はしゃ断器本体のケース（樹脂モールドケース）で、該ケース１には主回路のしゃ断部２，開閉機構部３，引外し部４，開閉操作用のハンドル５，および開閉レバー６などが装備されている。かかる構成で、ハンドル５の操作により開閉機構部３，開閉レバー６を介してしゃ断部２の主回路接点が開閉される。また、主回路に過電流が流れた場合には引外し部４の出力信号により開閉機構部３がトリップ動作して主回路接点を開極させる。
【０００３】
ここで、開閉機構部３は、図５(b),(c) で示すように上トグル３ａ，下トグル３ｂ，連結板３ｃ，開閉ばね３ｄを組合せたトグルリンク機構として開閉操作ハンドル５と開閉レバー６との間を連繋し、さらにラッチ３ｅ，ラッチ受け３ｆを介して引外し部４に連繋しており、開閉レバー６の先端をしゃ断部２の可動接触子の組立体（図示せず）に突き当てて開閉機構部３の動作により主回路接点を開閉するようにしている。
【０００４】
また、図５(b) のように、外装付属装置として回路しゃ断器本体のケース側面に装着した補助スイッチ７は、この装着位置で補助スイッチ７からケース内方に突き出た動作レバー７ａの先端を開閉機構部３の連結板３ｃに形成した溝に係合させ、主回路接点の開閉動作に連動して補助スイッチ７の接点機構を開閉し、主回路のＯＮ／ＯＦＦ状態を電気的信号として検出するようにしている。
【０００５】
一方、警報スイッチ８は、図５(c) で示すようにケース１の側面に装着してケース内方に突き出た動作レバー８ａをラッチ３ｅの側方に対峙させ、しゃ断器の引外し動作時に傾動するラッチ３ｅが動作レバー８ａを叩いて警報スイッチ８の接点機構を作動させ、該警報スイッチ８より引外し動作を電気的信号として検出するようにしている。
【０００６】
【発明が解決しようとする課題】
ところで、前記した回路しゃ断器の従来構造では、外装付属装置である補助スイッチ７，および警報スイッチ８は、いずれもケース１の同じ片側側面に装着するようにその装着位置が規定されている。このために、例えば補助スイッチ７と警報スイッチ８をしゃ断器本体ケース１の左右両側面に振り分けて装着する、あるいは補助スイッチ７，警報スイッチ８を左右で入れ替えるなどのユーザーの仕様変更に対して柔軟に対応できない。
【０００７】
本発明は上記の点に鑑みなされたものであり、その目的は外装付属装置としてしゃ断器本体に付設する補助スイッチ，警報スイッチを自由に組合せて、しゃ断器本体ケースの左右側面に振り分け装着できるように改良してそのフレキシビリティを高めた回路しゃ断器を提供することにある。
【０００８】
【課題を解決するための手段】
上記目的を達成するために、本発明によれば、しゃ断器本体の開閉操作ハンドルと、過電流引外し部に連繋してケース内に組み込んだトグルリンク機構を組立フレームに組み付けた開閉機構部と、主回路接点を開閉操作するとともに、前記組立フレームに該組立フレームと直交する方向に揺動可能に軸支した揺動式の開閉レバーと、開閉機構部の組立フレームに沿ってスライド可能に支持され、引外し動作時に駆動ばねのばね力でフレームに沿ってスライド動作する警報出力板を備え、前記開閉機構部を前記ケース内に該組立フレームがケースの長手方向と直交するように配置するとともに、前記ケースの長手方向と平行な外側面に外装付属装置として主回路接点のＯＮ／ＯＦＦ状態を電気信号で検出する補助スイッチ，ないしは引外し動作を電気信号で検出する警報スイッチを装着するようにした回路しゃ断器において、
前記開閉レバーの軸部両端に開閉動作の機械的な出力信号を前記ケースの外側面に装着した補助スイッチに伝達する軸継手部を形成するととにも、前記警報出力板の左右両端には前記軸継手部と位置をずらして引外し動作の機械的な出力信号を前記ケースの外側面に装着した警報スイッチに伝達するレバー係合段部を形成する（請求項１）ものとする。
【０００９】
また、前記の補助スイッチ，警報スイッチは、ユニットケース，接点機構を共通部品として、これにしゃ断器本体側の開閉レバーの軸継手部に連結する補助スイッチ仕様の動作レバー，もしくは警報出力板のレバー係合段部に係合する警報スイッチ仕様の動作レバーを組付けて構成し、当該外装付属装置をしゃ断器本体のケース側面に装着した状態で、補助スイッチはその動作レバーの軸端を開閉レバーの軸継手部に連結し、警報スイッチはその動作レバーの操作端を警報出力板のレバー係合部に連結するようにする（請求項２）。
【００１０】
上記の構成によれば、外装付属装置としてしゃ断器本体ケースの側面に装着する補助スイッチ，警報スイッチは、装着位置の制約を受けることなくケースの左右いずれの側面にも装着することができ、これによりユーザーの仕様に柔軟に対応できる。
また、補助スイッチ，警報スイッチとして使用する付属装置は、そのユニットケース，接点機構を共通部品として、動作レバーを変えるだけで補助スイッチ，あるいは警報スイッチとして機能させることができ、これにより部品の共通化が図れる。
【００１１】
【発明の実施の形態】
以下、本発明の実施の形態を図１〜図４に示す実施例に基づいて説明する。なお、実施例の図中で図５に対応する部材には同じ符号を付してその詳細な説明は省略する。
まず、回路しゃ断器の外装付属装置として補助スイッチ７，および警報スイッチ８をしゃ断器本体のケース１の左右両側面に振り分けて装着した状態を図１(a),(b) に示す。ここで、しゃ断器本体に組み込まれた開閉機構部３には、開閉レバー６，およびしゃ断器の引外し動作に連動してスライド動作する警報出力板９が組付けてあり、その詳細構造を図２に示す。
【００１２】
すなわち、図２(a) 〜(c) において、開閉レバー６は左右に突き出す軸部６ａが開閉機構部３の組立フレームに軸支されており、さらに軸部６ａの左右軸端にはスリット状の溝を形成して補助スイッチ７の動作レバー７ａと連結し合う軸継手部６ｂを形成している。
一方、警報出力板９は開閉機構部３の組立フレームに添わせて上下方向へスライド可能に支持し、かつ駆動ばね（引っ張りばね）９ａにより上方向に付勢されており、常時は図示の待機位置に係止保持されている。そして、引外し信号により開閉機構部３がトリップ動作すると、警報出力板９の係止状態が釈放され、駆動ばね９ａのばね力で警報出力板９が上方にスライド動作する。ここで、警報出力板９の左右両側縁には警報スイッチ８の動作レバー８ａと係合し合う係合段部９ｂが形成されている。
【００１３】
次に、外装付属装置としての補助スイッチ７，および警報スイッチ８の詳細構造を図３，図４で説明する。まず、補助スイッチ７は、図３(a) 〜(c) で示すように、ユニットケース７ｂに端子片ａ，ｂ，ｃと板ばね式の可動接触子ｄを組とする左右二組の接点機構７ｃ、左右に並ぶ接点機構７ｃの可動接触子の間に介装したスライド式連動板７ｄ、および一端を前記連動板７ｄに連結して他端の軸部先端をユニットケース７ｂから側方に突き出した動作レバー７ａを組み込んだ構成になり、ユニットケース７ｂの側面四隅に設けた取付脚片７ｅを介してしゃ断器本体のケース１の側面に装着するようにしている。
【００１４】
そして、図１のように補助スイッチ７をしゃ断器本体のケース１に装着した状態では、ユニットケース７ｂから側方に突き出した動作レバー７ａの軸端がケース１の側壁に開口した軸穴を貫通し、しゃ断器本体に組み込んだ開閉レバー６の軸端に形成した軸継手部６ｂに嵌合して両者間が連結される。
一方、警報スイッチ８は、図４(a) 〜(c) で示すようにユニットケース８ｂと、ユニットケースに組み込んだ左右二組の接点機構８ｃと、スライド式連動板８ｄと、一端をユニットケース８ｂから側方に突き出したシーソー式の動作レバー８ａと、該動作レバー８ａの他端と連動板８ｄとの間を連繋するＶ字状の中継レバー８ｅと、ユニットケース８ｂの側面四隅に設けた取付脚片８ｆとの組立体としてなり、図１に示すように警報スイッチ８をしゃ断器本体のケース１に装着した状態では、ユニットケース８ｂから側方に突き出した動作レバー８ａの先端がケース１の側壁に開口した穴を貫通し、しゃ断器本体に組み込んだ警報出力板９の左右両端に形成したレバー係合段部９ｂに係合する。
【００１５】
かかる構成で、回路しゃ断器の開閉動作時に開閉レバー６の軸部６ａが回動すると、その機械的な出力信号が軸部６ａの軸継手部６ｂを介して補助スイッチ７の動作レバー７ａに伝達され、この動作レバー７ａに従動して反転動作する接点機構７ｃを通じて回路しゃ断器のＯＮ／ＯＦＦ状態が外部に電気信号として出力される。また、回路しゃ断器が引外し動作すると、しゃ断器本体では開閉レバー６の動作と同時に警報出力板９が上方にスライドし、その機械的な出力信号が係合段部９ｂを介して警報スイッチ８の動作レバー８ａに伝達して該レバーを上方に押し上げる。これにより、補助スイッチ７からの信号出力と併せて、警報スイッチ８の接点機構８ｃが反転動作し、回路しゃ断器の引外し動作が電気信号として外部に出力される。
【００１６】
この場合に、先述のように開閉レバー６は軸部６ａの左右両端に軸継手部６ｂが、また警報出力板９にはその左右両端部にレバー係合段部９ｂが形成されているので、補助スイッチ７，警報スイッチ８はしゃ断器本体に対してケース１の右側面，左側面のいずれにも装着して使用することができる。
また、図示実施例では、図３に示した補助スイッチ７のユニットケース７ｂ，接点機構７ｃ，連動板７ｄ、および図４に示した警報スイッチ８のユニットケース８ｂ，接点機構８ｃ，連動板８ｄには同じ共通部品が使われており、このユニットケースに補助スイッチ仕様の動作レバー７ａを組付けることで補助スイッチ７として機能し、ユニットケースに警報スイッチ仕様の動作レバー８ａ，および中継レバー８ｅを組付けることで警報スイッチ８と機能する。
【００１７】
これにより、動作レバー７ａ，８ａを変えるだけて補助スイッチ７，警報スイッチ８の部品共通化が図れるほか、各スイッチの装着位置を左右で入れ替えるなど、補助スイッチ，警報スイッチの組合せをユーザーの仕様に合わせて柔軟に対応させることができる。
【００１８】
【発明の効果】
以上述べたように、本発明の構成によれば、しゃ断器本体の開閉機構部に組合せた開閉レバーに対してその軸部両端に開閉動作の機械的な出力信号をケース側面に装着した補助スイッチに伝達する軸継手部を形成するととにも、警報出力板の左右両端には前記軸継手部と位置をずらして引外し動作の機械的な出力信号をケース側面に装着した警報スイッチに伝達するレバー係合段部を形成したことにより、回路しゃ断器の外装付属装置としてしゃ断器本体のケース側面に装着する補助スイッチ，警報スイッチは、その装着位置，組合せに制約を受けることなくケースの左右いずれの側面にも装着することができ、これによりユーザーの仕様に柔軟に対応できる。
【００１９】
また、本発明による補助スイッチ，警報スイッチは、ユニットケース，接点機構を共通部品として、動作レバーを変えるだけで補助スイッチ，あるいは警報スイッチとして機能させることができ、これにより部品の共通化が図れる。
【図面の簡単な説明】
【図１】本発明の実施例による回路しゃ断器の内部機構を表した構成図であり、(a),(b) はそれぞれ補助スイッチ，警報スイッチを装着した状態での正面図，および平面図
【図２】図１における開閉機構部の構成図であり、(a) は組立状態の外観斜視図、(b),(c) はそれぞれ(a) 図における開閉レバー，警報出力板の斜視図
【図３】図１における補助スイッチの構成図であり、(a) はその内部機構図、(b),(c) はそれぞれ(a) 図の平面図，および側面図
【図４】図１における警報スイッチの構成図であり、(a) はその内部機構図、(b),(c) はそれぞれ(a) 図の平面図，および側面図
【図５】回路しゃ断器の従来例の構成図であり、(a) はしゃ断器本体の概要構成図、(b),(c) はそれぞれしゃ断器本体のケース側面に装着した外装付属装置として補助スイッチ，警報スイッチとしゃ断器本体の開閉機構部との連繋機構を表す図
【符号の説明】
１    しゃ断器本体のケース
２    しゃ断部
３    開閉機構部
４    引外し部
６    開閉レバー
６ａ  軸部
６ｂ  軸継手部
７    補助スイッチ
７ａ  動作レバー
７ｂ  ユニットケース
７ｃ  接点機構
８    警報スイッチ
８ａ  動作レバー
８ｂ  ユニットケース
８ｃ  接点機構
９    警報出力板
９ｂ  レバー係合段部
９    警報スイッチ
【図１】
0003985424.tif 000002
【図２】
0003985424.tif 000003
【図３】
0003985424.tif 000004
【図４】
0003985424.tif 000005
【図５】
0003985424.tif 000006